【手続補正書】
【提出日】平成18年10月2日(2006.10.2)
【手続補正１】
【補正対象書類名】明細書
【補正対象項目名】特許請求の範囲
【補正方法】変更
【補正の内容】
【特許請求の範囲】
【請求項１】
第１板(200) 及び第２板(510) を包含し、
上記第１板(200) は、第１面(202) 及びこの第１面と反対を向いた第２面(504) を含み、この第１面はその上に流動溝(204) を含む流動域面を構成し、この第１板は前記の流動溝(204) に流体を導くためのマニホールド(854) のマニホールド部分を形成する間隙(850) を含んでおり；
前記の流動域面は、前記の間隙(850) と前記の流動溝(204) との間の前記流動域面上の流体の流通を妨げる役目を果たす構造体(516, 862)をその上に含み、前記の第１板は、前記の間隙(850) とは別個の、前記の流動溝(204) と前記の第２面(504) との間に伸展している開口(858) を含むことを特徴とし；かつ、
上記第２板(510) は、前記のの第１板(200) の前記第２面(504) を隣接した位置におくような第３面(1202)を含み、この第３面は、前記マニホールド(854) と前記開口(858) との間の前記構造体(516, 862)の下の流動通路(501) の通路部分を形成する表面部分(508) を含んでいる、
燃料電池集合体(100) 装置。
【請求項２】
前記の第１面(202) 、前記の第２面(504) 及び前記の第３面(1202)の少なくとも一つが外部の面を構成している、請求項１の装置。
【請求項３】
前記の構造体(516) が膜状電極集合体(310) 部分を密封する役目を果たしている、請求項１の装置。
【請求項４】
前記の構造体(516) の少なくとも一つが漏れ止め物質部分を含み、漏れ止め物質部分として役目を果たすように取り付けられている、請求項１の装置。
【請求項５】
前記の構造体(516) が漏れ止め物質(304) 部分を密封する役目を果たしている、請求項１の装置。
【請求項６】
前記の表面部分(508) が第１表面部分を構成し、前記の通路部分が第１通路部分を構成し、前記の第２面(504) が、前記の流動通路(501) の第２通路部分を形成する第２表面部分(506) を含んでいる、請求項１の装置。
【請求項７】
前記の流動通路(501) が第１流動通路を構成し、前記第２表面部分(506) が、前記のマニホールド(854) と、開口即ち前記の第２面(504) 及び前記の流動域面上の流動溝(204) の間に伸展する開口と、の間の第２流動通路の第３通路部分を形成している、請求項６の装置。
【請求項８】
前記の第１流動通路及び前記の第２流動通路が、前記のマニホールド(854) と、開口(858) 即ち前記の第２面(504) 及び前記流動域面上の少なくとも一つの流動溝(204) の間に伸展する同じ開口(858) との間の流体の流通を提供する、請求項７の装置。
【請求項９】
前記の第２表面部分(506) が、前記第２通路部分と前記第３通路部分との間に位置する支持体(868) を含んでいる、請求項７の装置。
【請求項１０】
前記の構造体(516) の少なくとも一つが階段に似たものであり、ピーク(518) を含んでいる、請求項１の装置。
【請求項１１】
前記の間隙(850) が第１間隙を構成し、前記のマニホールド部分が第１マニホールド部分を構成し、前記の第２板(510) が、前記マニホールド(854) の第２マニホールド部分を形成する第２間隙(1850)を含んでいる、請求項１の装置。
【請求項１２】
前記の間隙(850) が第１間隙を構成し、前記のマニホールド(854) が第１マニホールドを構成し、前記のマニホールド部分が第１マニホールド部分を構成し、前記の開口(858) が第１開口を構成し、前記の構造体(516) が第１構造体を構成し、前記の表面部分(508) が第１表面部分を構成し、前記の通路部分が第１通路部分を構成し、前記の流動通路(501) が第１流動通路を構成し；
前記の第１板(200) が、前記の流体を導くための第２マニホールドの第２    マニホールド部分を形成する第２間隙を含み、前記の流動域面が、前記の流    動溝(204) と前記の第２間隙との間の前記流動域面上での流体の流通を妨げ    る役目を果たす第２構造体をその上に含み、前記の第１板(200) が、前記の    流動溝(204) と前記の第２面(504) との間に伸展する第２の開口を含み；
前記の第３面(1202)が、前記の第２マニホールドと第２開口との間の第２    流動通路の第２通路部分を形成する第２表面部分を含んでいる、
請求項１の装置。
【請求項１３】
前記の間隙(850) が第１間隙を構成し、前記のマニホールド部分が第１マニホールド部分を構成し、前記のマニホールド(854) が第１マニホールドを構成し、前記の流体が第１流体を構成し、前記の構造体(516) が第１構造体(862) を構成し、前記の開口(858) が第１開口を構成し、前記の表面部分(508) が第１表面部分を構成し、前記の通路部分が第１通路部分を構成し、前記の流動通路(501) が第１流動通路を構成し；
前記の第１板(200) が第２間隙(852) を含み、この第２間隙は前記の燃料    電池集合体(100) 用の第２流体を導くための第２マニホールド(856) の第２    マニホールド部分を形成しており、前記の流動域面は、前記の流動溝(204)     と前記の第２間隙(852) との間の前記流動域面の上の流体の流通を妨げる役    目を果たす第２構造体(864) をその上に含み、前記の第１板(200) は、前記    の流動溝(204) と前記の第２面(504) との間に伸展する第２開口(860) を含    んでおり、
前記の第３面(1202)が、前記の第２マニホールド(856) と前記の第２開口    (860) との間の第２流動通路の第２通路(870) 部分を形成している第２表面    部分(2508)を含んでいる、
請求項１の装置。
【請求項１４】
前記の流動域面(202) が第１流動域面を構成し、前記の間隙(850) が第１間隙を構成し、前記のマニホールド部分が第１マニホールド部分を構成し、前記のマニホールド(854) が第１マニホールドを構成し、前記の流体が前記の燃料電池集合体(100) 用のある種の流体を構成し、前記の燃料電池集合体の第１縦軸が前記の開口(858) を通過しており；
前記の第１板(200) が第２間隙を含み、この第２間隙は前記の種類の流体    を導くための第２マニホールドの第２マニホールド部分を形成しており；
前記の第３面(1202)が第２流動域面を構成し、この第２流動域面はその上    に第２流動溝(1204)を含んでおり、前記の第２板(510) が第３間隙を含み、    この第３間隙は前記の第２マニホールドの第３マニホールド部分を形成して    おり、前記の燃料電池集合体(100) の第２縦軸は前記の第２板のためのポー    ト(1802)を通過しており、前記のポートは前記の流動溝(1204)と前記の第    ２マニホールドとに流動的に通じている、
請求項１の装置。
【請求項１５】
第１板(200) 及び第２板(510) を包含し、
上記第１板は第１流動域面(202) を含み、この第１流動域面はその上に第    １流動溝(204) を含み、前記の第１板は第１間隙(850) を含み、この第１間    隙は燃料電池集合体(100) 用のある種の反応剤流体を導くための第１マニホ    ールド(854) の第１マニホールド部分を形成し、前記の燃料電池集合体の第    １縦軸は前記の第１板のための第１ポート(802) を通過しており、この第１    ポートは前記の第１流動溝(204) 及び前記の第１マニホールド(854) と流動    的に通じているものであり；
上記第２板は第２流動域面(1202)を含み、この第２流動域面はその上に第    ２流動溝(1204)を含み、前記の第２板は第２間隙(1850)及び第３間隙を含み    、この第２間隙は前記の第１マニホールド(854) の第２マニホールド部分を    を形成し、この第３間隙は前記の種類の反応剤流体を導くための第２マニホ    ールドの第３マニホールド部分を形成し、前記の燃料電池集合体の第２縦軸    は前記の第２板のための第２ポート(1802)を通過しており、この第２ポート    は前記の第２流動溝(1204)と前記の第２マニホールドとに流動的の通じてい    るものであって；
前記の第２板は、前記の第１縦軸が通り、而も前記の第２流動溝と、前    記の第１マニホールドおよび前記の第２マニホールドの少なくとも一つとに    流動的に通じているポートのない状態で形成されていることを特徴とする、    燃料電池集合体。
【請求項１６】
前記の第１マニホールドと前記の第２マニホールドが同じマニホールド(854) を構成している、請求項15の装置。
【請求項１７】
前記の第２間隙と前記の第３間隙が同じ間隙(1850)を構成している、請求項15の装置。
【請求項１８】
前記の第１間隙が前記の第２マニホールドの第４マニホールド部分を形成している、請求項17の装置。
【請求項１９】
前記の第２流動域面(1202)が、前記第２流動溝(1204)と前記第２間隙(1850)との間の第２流動域面における流体の流通を妨げる役目を果たしている構造体(508)をその上に含んでおり、前記の第１縦軸がこの構造体(508) を通過している、請求項15の装置。
【請求項２０】
前記の第１板(200) が、そこを通過する前記第２縦軸を有し、前記の第１流動溝(204) と、前記第１マニホールド(854) および前記第２マニホールドの少なくとも一つとに流動的に通じているポートのない状態で形成されている、請求項15の装置。
【請求項２１】
前記の第１板(200) が第４間隙を含み、この第４間隙は前記の種類の反応剤流体を導くための第３マニホールドの第４マニホールド部分を形成しており、前記の燃料電池集合体の第３縦軸は前記第１板のための第３ポートを通過しており、この第３ポートは前記第１流動溝(204) と前記第３マニホールドとに流動的に通じているものであり；かつ、
前記の第２板(510) が第５間隙を含み、この第５間隙は前記の種類の反応    剤流体を導くための第４マニホールドの第５マニホールド部分を形成してお    り、前記の燃料電池集合体の第４縦軸は前記第２板のための第４ポートを通    過しており、この第４ポートは前記第２流動溝(1204)と前記第４マニホール    ドとに流動的に通じているものである、
請求項15の装置。
【請求項２２】
前記の第２板(510) は、前記の第３縦軸が通り、而も前記の第２流動溝(1204)と、前記第３マニホールドおよび前記第４マニホールドの少なくとも一つとに流動的の通じているポートのない状態で形成されている、請求項21の装置。
【請求項２３】
前記第３マニホールドと前記第４マニホールドが同じマニホールドを構成している、請求項21の装置。
【請求項２４】
前記の第１板(200) が他の面(504) を含んでおり、この第１板が前記の第１流動溝(204) と前記の他の面との間に伸展する開口(858) を含んでおり、前記第２流動域面(1202)が、前記の第１マニホールド(854) と前記の開口との間の流動通路(501) の第１通路部分を形成する表面部分(508) を含んでおり、前記の第１ポート(802) が、前記開口(858) と、前記流動通路(501) の第２通路部分との少なくとも一つを構成している、請求項15の装置。
【請求項２５】
前記第１流動域面(202) が、前記第１流動溝(204) と前記第１間隙(850) との間の前記第１流動域面上の流体の流通を妨げる役目を果たしている構造体(862) を含んでいる、請求項15の装置。
【請求項２６】
前記第１板(200) が第４間隙(852) を含み、この第４間隙は、前記の燃料電池集合体(100) 用の湿潤化用流体を導くための第３マニホールド(856) の第４マニホールド部分を形成し、前記燃料電池集合体の第３縦軸は前記第１板のための第３ポート(804) を通過しており、この第３ポートは、前記第１流動溝(204) 及び前記第３マニホールド(856) と流動的に通じているものであり；かつ、
前記第２板(510) は第５間隙及び第６間隙を含み、この第５間隙は前記第３マニホールドの第５マニホールド部分を形成しており、この第６間隙(1752)は前記の湿潤化用流体を導くための第４マニホールドの第６マニホールド部分を形成しており、前記燃料電池集合体の第４縦軸は前記第２板のための第４ポート(1804)を通過しており、この第４ポートは、前記流動溝(1204)及び前記第４マニホールドと流動的に通じているものである、請求項15の装置。
【請求項２７】
前記第２板(510) は、第３縦軸が通り、而も前記第２流動溝(1204)と、前記第３マニホールドおよび前記第４マニホールドの少なくとも一つとに流動的に通じているポートのない状態で形成されている、請求項26の装置。
【請求項２８】
前記の種類の反応剤流体が第１の種類の反応剤流体を構成しており、前記の第１板(200) が第３流動域面(504) を含み、この第３流動域面がその上に第３流動溝を含んでおり；
前記の第１板(200) が第４間隙を含み、この第４間隙は、前記燃料電池集    合体用の第２の種類の反応剤流体を導くための第３マニホールドの第４マニ    ホールド部分を形成し、前記燃料電池集合体の第３縦軸は前記第１板のため    の第３ポートを通過しており、この第３ポートは、前記第３流動溝及び前記    第３マニホールドと流動的に通じているものであり；
前記の第２板(510) が第４流動域面を含み、この第４流動域面はその上に    第４流動溝を含んでおり；
前記の第２板(510) が第５間隙及び第６間隙を含み、この第５間隙は前記    第３マニホールドの第５マニホールド部分を形成し、この第６間隙は前記の    第２の種類の反応剤流体を導くための第４マニホールドの第６マニホールド    部分を形成しており、前記燃料電池の第４縦軸は前記第２板のための第４ポ    ートを通過しており、この第４ポートは、前記第４流動溝及び前記第４マニ    ホールドと流動的に通じているものである、請求項15の装置。
【請求項２９】
前記の第２板(510) は、前記第３縦軸が通り、しかも前記第４流動溝と、前記第３マニホールドおよび前記第４マニホールドの少なくとも一つとに流動的に通じているポートのない状態で形成されている、請求項28の装置。
【請求項３０】
第１面(202) 及びこの第１面と反対を向いている第２面(504) を有する第１板(200) を選択し、ここに、この第１面は、その上に流動域溝(204) を含む流動域面を構成しており、この第２面は外部面を構成しており、この第１板は、前記流動域溝と前記第２面との間に伸展する開口(858) を含んでおり；
第３面(1202)を有する第２板(510) を選択し、ここに、この第３面はその上に表面部分(1508)を含み、前記第２面に隣接してこの第３面が位置しているものであることを包含し；
マニホールド(854) と前記流動域溝(204) との間の流動通路(501) に流体    部分を導き入れ、ここに、この流動通路は前記表面部分(508) 及び前記開口    (858)を含んでいるものであることを特徴とする、
燃料電池集合体(100) 流動域に流体を供給する方法。
【請求項３１】
第１面、および該第１面と反対方向を向いた第２面、
それぞれ、板の第１面および第２面を通って伸展している入り口流体マニホールドおよび出口流体マニホールド、
上記入り口流体マニホールドから間隔を置いた入り口開口、および上記出口流体マニホールドから間隔を置いた出口開口であって、それぞれ、板の第１および第２面を通って伸展している上記の両開口、
上記入り口マニホールドから上記入り口開口へ伸展している板の第１面上にある入り口溝、および上記出口マニホールドから上記出口開口へ伸展している板の第１面上にある出口溝、
上記入り口開口から上記出口開口へ伸展している板の第２面上にある活性領域溝、
上記入り口溝と反対側の上記第２面上に設けられた第１構造体と、上記出口溝と反対側の上記第２面上に設けられた第２構造体とであって、前者構造体は上記第２面上を、上記入り口流体マニホールドと上記活性領域溝との間で流体が直接流通しないようにし、後者構造体は上記第２面上を、上記出口流体マニホールドと上記活性領域溝との間で流体が直接流通しないようにした両構造体、
からなる燃料電池板。
【請求項３２】
第１面、および前記第１面と反対方向を向いた第２面、
板の第１および第２面を通して伸展しているマニホールド間隙、
上記マニホールド間隙から間隔を置き、かつ板の第１および第２面を通して伸展している開口、
上記マニホールド間隙から上記開口へ伸展している第１面流動溝および上記開口から伸展している第２面流動溝、
上記第１面流動溝の反対側の第２面上に設けられ、上記マニホールド間隙と上記第２面流動溝との間で上記第２面上を流体が流通しないようにした構造体からなる燃料電池板。
【請求項３３】
燃料電池板の第１面上で入り口マニホールドから入り口溝へ反応剤を流通させること、
反応剤を、上記入り口溝を通して流し、反応剤を板の第２面側へ流通させる入り口開口へ向かわせること、
反応剤を上記入り口開口を通り、しかも板の第２面側にある活性領域溝を横切って流し、上記活性領域溝で反応剤を出口開口に流通させ、該出口開口は反応剤を板の第１面側に流通させること、
反応剤を上記出口開口を通り、しかも板の第１面側にある出口溝を横切って流通し、上記出口溝で反応剤を出口マニホールドへ流通させること、
上記入り口溝の反対側に設けた第１構造体によって、反応剤が上記入り口マニホールドと上記活性領域溝との間で上記第２面側上を直接流れるのを防止し、また上記出口溝の反対側に設けた第２構造体によって、反応剤が上記活性領域溝と上記出口マニホールドとの間で上記第２面側上を直接流れるのを防止すること、
板の第２面側の周辺、すなわち上記第１構造体と第２構造体とを含む周辺部に周辺シールを供給し、上記第１構造体によって、上記周辺シールが上記入り口溝に落ち込むのを防ぎ、上記第２構造体によって、上記周辺シールが上記出口溝へ落ち込むのを防ぐこと、
によって、燃料電池板の周辺シールが上記板の反応剤流通溝へ落ち込むのを防ぐ方法。